(57)【要約】【課題】通常は、以前の通信で取得した相手機の通信能力を記憶しておいて次回の通信時に利用すると共に、記憶している相手機の通信能力とリダイレクト先の通信能力とが相違する場合にも通信エラーを起さないネットワークファクシミリ装置を提供する。【解決手段】以前の通信で取得した相手機の通信能力情報を相手機能力記憶手段２５に記憶しておき、通常は、次回の送信時には相手機能力記憶手段２５に記憶されている相手機の通信能力情報を利用して送信する。ただし、送信時にＳＩＰサーバ１０からリダイレクトレスポンスが返信された場合は、そのリダイレクトレスポンスが示す相手機と改めて通信能力の交換を行ない、該交換で取得した通信能力に基づいて送信を行なう。もしくは、通信能力の交換を行なわず、デフォルト（標準）設定で送信する。【選択図】図１
2007324947.tif 000002
【特許請求の範囲】
【請求項１】
セッション制御プロトコルに基づいてセッション制御を行なうと共に、以前の通信で取得した相手機の通信能力情報を送信相手毎に記憶しておき、次回の送信時には、送信相手に応じた前記通信能力情報に基づいて送信方法を決定するネットワークファクシミリ装置において、
第１の送信相手への送信時にＳＩＰサーバへリクエストを行なった際に、リダイレクトサーバよりリダイレクトレスポンスを受信した場合は、記憶している前記第１の送信相手の通信能力情報を使用せず、前記リダイレクトレスポンスで通知された第２の送信相手と通信能力情報の交換を行ない、該交換で取得した前記第２の送信相手の通信能力情報に基づいて送信を行なう
ことを特徴とするネットワークファクシミリ装置。
【請求項２】
セッション制御プロトコルに基づいてセッション制御を行なうネットワークファクシミリ装置において、
送信相手と通信能力情報の交換を行なう能力交換手段と、
前記能力交換手段で取得した送信相手の前記通信能力情報を記憶する記憶手段と、
前記記憶手段に通信能力情報が既に記憶されている第１の送信相手と通信する場合は、前記能力交換手段を作動させずに、前記記憶手段に記憶されている前記第１の送信相手の通信能力情報に基づいて送信方法を決定し、前記第１の送信相手と通信する場合であっても、該第１の送信相手との接続をＳＩＰサーバへ要求した際に、リダイレクトサーバよりリダイレクトレスポンスを受信した場合は、前記能力交換手段に前記リダイレクトレスポンスで通知された第２の送信相手と通信能力情報の交換を行なわせ、該交換で取得した前記第２の送信相手の通信能力情報に基づいて送信方法を決定する送信方法決定手段と、
前記送信方法決定手段が決定した送信方法で送信を行なう送信手段と
を有する
ことを特徴とするネットワークファクシミリ装置。
【請求項３】
前記リダイレクトレスポンスで通知された前記第２の送信相手と通信能力情報の交換を行なって取得した該第２の送信相手の通信能力情報は記憶しない
ことを特徴とする請求項１または２に記載のネットワークファクシミリ装置。
【請求項４】
セッション制御プロトコルに基づいてセッション制御を行なうと共に、以前の通信で取得した相手機の通信能力情報を送信相手毎に記憶しておき、次回の送信時には、送信相手に応じた前記通信能力情報に基づいて送信方法を決定するネットワークファクシミリ装置において、
第１の送信相手への送信時にＳＩＰサーバへリクエストを行なった際に、リダイレクトサーバよりリダイレクトレスポンスを受信した場合は、記憶している前記第１の送信相手の通信能力情報を使用せず、自機で設定されているデフォルトの通信能力情報に基づいて送信を行なう
ことを特徴とするネットワークファクシミリ装置。
【請求項５】
セッション制御プロトコルに基づいてセッション制御を行なうネットワークファクシミリ装置において、
自機で設定されているデフォルトの通信能力情報を記憶するデフォルト設定記憶手段と、
送信相手と通信能力情報の交換を行なう能力交換手段と、
前記能力交換手段で取得した送信相手の前記通信能力情報を記憶する記憶手段と、
前記記憶手段に通信能力情報が既に記憶されている第１の送信相手と通信する場合は、前記能力交換手段を作動させずに、前記記憶手段に記憶されている前記第１の送信相手の通信能力に基づいて送信方法を決定し、前記第１の送信相手と通信する場合であっても、該第１の送信相手との接続をＳＩＰサーバへ要求した際にリダイレクトサーバよりリダイレクトレスポンスを受信した場合は、前記デフォルト設定記憶手段に記憶されている前記デフォルトの通信能力情報に基づいて送信方法を決定する送信方法決定手段と、
前記送信方法決定手段が決定した送信方法で送信を行なう送信手段と
を有する
ことを特徴とするネットワークファクシミリ装置。
【請求項６】
前記デフォルトの通信能力情報に基づいて送信を行なう場合に、前記デフォルトの通信能力情報に基づいて送信することの確認をユーザから受ける確認手段を備える
ことを特徴とする請求項４または５に記載のネットワークファクシミリ装置。
【発明の詳細な説明】
【技術分野】
【０００１】
本発明は、セッション制御プロトコルに基づくセッション制御によって通信路を確立してファクシミリ通信を行なうネットワークファクシミリ装置に係わり、特に、以前の通信で取得した相手機の通信能力を記憶しておき、次回の送信時には記憶している相手機の通信能力に基づいて送信方法を決定するネットワークファクシミリ装置に関する。
【背景技術】
【０００２】
ネットワークファクシミリの通信方式の１つとして、セッション制御プロトコル（ＳＩＰ…Session Initiation Protocol）を利用し、送受信機間をインターネットなどのネットワークを介してピア・ツゥ・ピアに接続して画像データを伝送するものがある。ＳＩＰにおいては、ネットワーク上に配置したＳＩＰサーバと呼ばれるサーバ（実際にはプロキシサーバ、登録サーバ、ロケーションサーバ、リダイレクトサーバなどで構成される。）にファクシミリ装置を特定するための識別情報（たとえば、公衆回線におけるＦＡＸの電話番号）とＩＰ（Internet Protocol）アドレスとを関連付けて登録しておき、送信機からＳＩＰサーバに対して宛先のＦＡＸ番号で接続を要求すると、ＳＩＰサーバは送信機から受け取ったＦＡＸ番号に対応するＩＰアドレスを検索し、該ＩＰアドレスを使用して送信機と宛先の受信機との呼接続を行なうようになっている。
【０００３】
また、ＳＩＰサーバでは、ＦＡＸ番号と関連付けて登録しておくＩＰアドレスを一時的に代替アドレス（リダイレクトアドレス）に設定変更する機能を提供しており、リダイレクトアドレスが設定されたＦＡＸ番号に対して送信機から接続要求があると、ＳＩＰサーバは、現在一時的に設定されているリダイレクトアドレスを含むリダイレクトレスポンスを送信機に返信するようになっている。
【０００４】
このようなリダイレクトアドレスは、送信者の意図に反する宛先である場合があるので、リダイレクトレスポンスが通知された場合は通信を強制的に中断するようにしたネットワークファクシミリ装置が提案されている（たとえば、特許文献１参照。）。
【０００５】
【特許文献１】特開２００５−９４６６２号公報
【発明の開示】
【発明が解決しようとする課題】
【０００６】
ところで、ファクシミリ通信では、相手機の能力（たとえば、記録紙幅や解像度、カラー／モノクロなど）に応じた送信方法でデータを送信するために、通信時に相手機と通信能力の交換が行なわれる。相手機の通信能力は、通常、変動するものではないので、以前の通信で取得した相手機の通信能力を記憶しておき、次回の送信時には記憶している相手機の通信能力情報に基づいて送信方法を決定するようにすることで、毎回の能力交換を省略して通信効率を高めたり、原稿の読み取り条件を通信の開始前に設定可能にしたりするネットワークファクシミリ装置がある。
【０００７】
しかしながら、送信時にＳＩＰサーバからリダイレクトレスポンスを受信した場合には、送信先は代替の受信端末（リダイレクト先）に変更されているので、該リダイレクト先の通信能力と以前の通信で取得した相手機の通信能力とが相違する場合があり、記憶している相手機の通信能力に基づいて送信方法を決定すると、通信エラーを引き起こす可能性がある。
【０００８】
本発明は、上記の問題点に鑑みてなされたものであり、以前の通信で取得した相手機の通信能力を記憶しておいて次回の通信時に利用すると共に、記憶している相手機の通信能力とリダイレクト先の通信能力とが相違する場合にも通信エラーを起さないネットワークファクシミリ装置を提供することを目的としている。
【課題を解決するための手段】
【０００９】
かかる目的を達成するための本発明の要旨とするところは、次の各項の発明に存する。
【００１０】
（１）セッション制御プロトコルに基づいてセッション制御を行なうと共に、以前の通信で取得した相手機の通信能力情報を送信相手毎に記憶しておき、次回の送信時には、送信相手に応じた前記通信能力情報に基づいて送信方法を決定するネットワークファクシミリ装置において、
第１の送信相手への送信時にＳＩＰサーバへリクエストを行なった際に、リダイレクトサーバよりリダイレクトレスポンスを受信した場合は、記憶している前記第１の送信相手の通信能力情報を使用せず、前記リダイレクトレスポンスで通知された第２の送信相手と通信能力情報の交換を行ない、該交換で取得した前記第２の送信相手の通信能力情報に基づいて送信を行なう
ことを特徴とするネットワークファクシミリ装置。
【００１１】
上記発明では、通常は、以前の通信で取得して記憶してある相手機（第１の送信相手）の通信能力に基づいて送信方法を決定し、送信時にリダイレクトサーバからリダイレクトレスポンスを受信した場合は、リダイレクトレスポンスで通知された相手機（第２の送信相手）と改めて通信能力の交換を行なって送信する。
【００１２】
（２）セッション制御プロトコルに基づいてセッション制御を行なうネットワークファクシミリ装置において、
送信相手と通信能力情報の交換を行なう能力交換手段と、
前記能力交換手段で取得した送信相手の前記通信能力情報を記憶する記憶手段と、
前記記憶手段に通信能力情報が既に記憶されている第１の送信相手と通信する場合は、前記能力交換手段を作動させずに、前記記憶手段に記憶されている前記第１の送信相手の通信能力情報に基づいて送信方法を決定し、前記第１の送信相手と通信する場合であっても、該第１の送信相手との接続をＳＩＰサーバへ要求した際に、リダイレクトサーバよりリダイレクトレスポンスを受信した場合は、前記能力交換手段に前記リダイレクトレスポンスで通知された第２の送信相手と通信能力情報の交換を行なわせ、該交換で取得した前記第２の送信相手の通信能力情報に基づいて送信方法を決定する送信方法決定手段と、
前記送信方法決定手段が決定した送信方法で送信を行なう送信手段と
を有する
ことを特徴とするネットワークファクシミリ装置。
【００１３】
（３）前記リダイレクトレスポンスで通知された前記第２の送信相手と通信能力情報の交換を行なって取得した該第２の送信相手の通信能力情報は記憶しない
ことを特徴とする（１）または（２）に記載のネットワークファクシミリ装置。
【００１４】
上記発明では、リダイレクトレスポンスで通知された相手機（第２の送信相手）は一時的に設定された代替宛先なので、その通信能力は記憶しない。リダイレクト設定が解除された後は、以前の通信で取得して記憶している相手機の通信能力を再び利用して送信することができる。
【００１５】
（４）セッション制御プロトコルに基づいてセッション制御を行なうと共に、以前の通信で取得した相手機の通信能力情報を送信相手毎に記憶しておき、次回の送信時には、送信相手に応じた前記通信能力情報に基づいて送信方法を決定するネットワークファクシミリ装置において、
第１の送信相手への送信時にＳＩＰサーバへリクエストを行なった際に、リダイレクトサーバよりリダイレクトレスポンスを受信した場合は、記憶している前記第１の送信相手の通信能力情報を使用せず、自機で設定されているデフォルトの通信能力情報に基づいて送信を行なう
ことを特徴とするネットワークファクシミリ装置。
【００１６】
上記発明では、通常は、以前の通信で取得して記憶してある相手機（第１の送信相手）の通信能力に基づいて送信方法を決定し、送信時にリダイレクトサーバからリダイレクトレスポンスを受信した場合は、自機にデフォルト設定されている通信能力で送信する。デフォルト設定されている通信能力は、標準能力（最小能力）であり、デフォルトの通信能力に基づいて送信方法を決定すれば、能力の相違に基づく通信エラーが生じることはない。
【００１７】
（５）セッション制御プロトコルに基づいてセッション制御を行なうネットワークファクシミリ装置において、
自機で設定されているデフォルトの通信能力情報を記憶するデフォルト設定記憶手段と、
送信相手と通信能力情報の交換を行なう能力交換手段と、
前記能力交換手段で取得した送信相手の前記通信能力情報を記憶する記憶手段と、
前記記憶手段に通信能力情報が既に記憶されている第１の送信相手と通信する場合は、前記能力交換手段を作動させずに、前記記憶手段に記憶されている前記第１の送信相手の通信能力に基づいて送信方法を決定し、前記第１の送信相手と通信する場合であっても、該第１の送信相手との接続をＳＩＰサーバへ要求した際にリダイレクトサーバよりリダイレクトレスポンスを受信した場合は、前記デフォルト設定記憶手段に記憶されている前記デフォルトの通信能力情報に基づいて送信方法を決定する送信方法決定手段と、
前記送信方法決定手段が決定した送信方法で送信を行なう送信手段と
を有する
ことを特徴とするネットワークファクシミリ装置。
【００１８】
（６）前記デフォルトの通信能力情報に基づいて送信を行なう場合に、前記デフォルトの通信能力情報に基づいて送信することの確認をユーザから受ける確認手段を備える
ことを特徴とする（４）または（５）に記載のネットワークファクシミリ装置。
【００１９】
上記発明では、デフォルトの通信能力によるリダイレクト宛先への送信は、ユーザの確認（承諾）を得た場合に実行される。ユーザが確認しない場合は、デフォルト設定での送信は行なわれない。このとき、送信を中止してもよいし、リダイレクト先と通信能力の交換を行なうようにしてもよい。
【発明の効果】
【００２０】
本発明に係わるネットワークファクシミリ装置によれば、通常は、以前の通信で取得した相手機の通信能力を記憶しておいて次回の通信時に利用しつつ、リダイレクトレスポンスを受けた場合には、以前の通信で取得した相手機の通信能力は使用せず、リダイレクト先の相手機と通信能力を交換する、もしくは、自機で設定しているデフォルトの通信能力によって通信するようにしたので、リダイレクトされた場合にも通信能力の違いによる通信エラーを起さずに通信することができる。
【００２１】
また、リダイレクト時に取得した相手機の通信能力を記憶しないことにより、リダイレクトが解除された場合には、以前から記憶している相手機の通信能力を使用して送信することができる。
【発明を実施するための最良の形態】
【００２２】
以下、図面に基づき本発明の各種実施の形態を説明する。
【００２３】
図１は、本発明の第１の実施の形態に係わるネットワークファクシミリシステム５の構成例を示している。ネットワークファクシミリシステム５は、セッション制御プロトコルを利用して呼接続を行ない、ネットワーク２を介して送受信機間をピア・ツゥ・ピアに接続して画像情報を伝送するように構成されたファクシミリシステムであり、インターネットなどのネットワーク２にＳＩＰサーバ１０と、送信側ファクシミリ装置２０と、受信側ファクシミリ装置３０と、リダイレクト宛先とされるファクシミリ装置４０とを接続して構成される。なお、ネットワーク２に接続される各装置１０、２０、３０、４０は図示した台数に限定されず、多数接続されてもよい。
【００２４】
ＳＩＰサーバ１０は、実際には、プロキシサーバ、登録サーバ、ロケーションサーバ、リダイレクトサーバなどの複数のサーバで構成される。送信側ファクシミリ装置２０、受信側ファクシミリ装置３０、リダイレクト宛先４０はそれぞれセッション制御プロトコルに基づいてセッション制御を行なうネットワークファクシミリ装置として構成されている。図示省略してあるが、これらはいずれもＣＰＵ（Central Processing Unit）を主要部とする制御部、原稿を光学的に読み取って画像データを取得するスキャナ部、画像を記録紙に印刷するプリンタ部、操作画面の表示とユーザ操作の受け付けを行なう操作表示部、画像データなどを記憶するハードディスク装置などを備えている。
【００２５】
ネットワークファクシミリシステム５では、受信側ファクシミリ装置３０はＳＩＰサーバ１０に対して、自機を特定するための識別情報（ここでは、公衆回線におけるＦＡＸの電話番号（ＦＡＸ番号））とネットワーク２上のアドレス情報（ここでは、自機のＩＰアドレス）とを関連付けた宛先情報を予め登録する（図１、Ｐ１）。
【００２６】
ＳＩＰサーバ１０は送信側ファクシミリ装置２０から受信側ファクシミリ装置３０のＦＡＸ番号で接続要求を受けると（Ｐ２）、そのＦＡＸ番号に関連付けて登録されているＩＰアドレスを検索し、該ＩＰアドレスを使用して送信側ファクシミリ装置２０と受信側ファクシミリ装置３０との呼接続を行なうようになっている。呼接続後における画像データの伝送方式は任意であり、たとえば、ＩＴＵ−Ｔ（International Telecommunication Union-Telecommunication sector）の勧告Ｔ.３８やＴ.３７に準拠したプロトコルが使用される。
【００２７】
また、受信側ファクシミリ装置３０は、自機のＦＡＸ番号と関連付けて、自機と異なる他機（リダイレクト宛先）のＩＰアドレスを含む宛先情報を一時的にＳＩＰサーバ１０に登録（この登録を、リダイレクト設定と呼ぶ。）することができる（図１のＰ１）。ＳＩＰサーバ１０は、リダイレクト設定のなされたＦＡＸ番号に対して送信側ファクシミリ装置２０から接続要求があると（Ｐ２）、そのＦＡＸ番号に対して現在一時的に設定されているリダイレクト宛先４０の宛先情報をリダイレクトレスポンスとして接続要求元の送信側ファクシミリ装置２０にリダイレクトサーバから通知する（Ｐ３）。送信側ファクシミリ装置２０はリダイレクトレスポンスで通知されたリダイレクト宛先に対してファクシミリ送信を実行することができるようになっている（Ｐ４）。
【００２８】
受信側ファクシミリ装置３０は、通信手段３１と、宛先設定登録手段３２と、自機能力記憶手段３３としての機能を有する。通信手段３１はネットワーク２を通じてＳＩＰサーバ１０や他のファクシミリ装置と通信する機能を果たし、宛先設定登録手段３２はリダイレクト宛先の設定操作をユーザから受け付けたり、設定されたリダイレクト宛先の宛先情報をＳＩＰサーバ１０に送信してリダイレクト設定したりする機能を果たす。自機能力記憶手段３３は自機の通信能力を示す通信能力情報を記憶しており、通信手段３１は自機能力記憶手段３３に記憶されている通信能力情報を通信時に相手機と交換するようになっている。通信能力情報には、たとえば、受信可能な紙サイズ、受信可能な解像度、カラー受信の可否などがある。
【００２９】
ＳＩＰサーバ１０は、通信手段１１と、宛先情報蓄積手段１２としての機能を有する。通信手段１１はネットワーク２を通じてファクシミリ装置２０、３０、４０などと通信する機能を果たす。宛先情報蓄積手段１２は、ＦＡＸ番号毎に、ＦＡＸ番号と、そのＦＡＸ番号がリダイレクト設定中か否かを示す情報と、そのＦＡＸ番号に対して設定されているＩＰアドレス（リダイレクトアドレス）とを関連付けて記憶するなどの機能を果たす。
【００３０】
送信側ファクシミリ装置２０は、通信手段２１と、通信情報取得／設定手段２２と、送信先設定手段２４と、相手機能力記憶手段２５としての機能を備えている。
【００３１】
通信手段２１はネットワーク２を通じてＳＩＰサーバ１０や他のファクシミリ装置３０、４０と通信する機能を果たし、送信先設定手段２４はファクシミリ送信する際の宛先（相手機）の設定をユーザから受ける機能を果たす。送信宛先は、短縮宛先として図示省略の不揮発メモリに記憶されている。短縮宛先は、短縮宛先番号に対応付けてその短縮宛先のＦＡＸ番号や通信能力情報などを登録している。詳細は図４に示す。
【００３２】
通信情報取得／設定手段２２は他の装置１０、３０、４０と通信する際に、他の装置へ送信する情報を作成・管理・蓄積したり他の装置から受信した情報を管理・蓄積したりする機能などを果たす。また、通信情報取得／設定手段２２は、相手機と通信能力情報の交換を行なう能力交換手段、送信時の送信方法を決定する送信方法決定手段としての機能を果たす。相手機能力記憶手段２５は、以前の通信で取得した相手機の通信能力情報を記憶する記憶手段としての機能を果たす。
【００３３】
図２は、送信側ファクシミリ装置２０が行なう送信処理の流れを示している。送信側ファクシミリ装置２０は、送信先設定手段２４でユーザから、例えば、短縮宛先番号等の指定により送信宛先の選択を受けると（ステップＳ１０１）、ＳＩＰサーバ１０に対してその送信宛先（第１の送信相手）のＦＡＸ番号に対して設定されているＩＰアドレスを問い合わせる（ステップＳ１０２）。なお、送信したい宛先が短縮宛先に登録されていない場合は、ユーザは送信に先立って短縮宛先への登録操作を行なう。
【００３４】
ステップＳ１０２での問い合わせに対してＳＩＰサーバ１０から受信したレスポンスがリダイレクトレスポンスではなかった場合は（ステップＳ１０３；Ｎ）、選択された短縮宛先番号に対応付けて既に相手機の通信能力情報が記憶されているか否かを調べ（ステップＳ１０４）、記憶されていなければ（ステップＳ１０４；Ｎ）、送信宛先の相手機と通信能力の交換を行ない（ステップＳ１０５）、該交換で取得した通信能力情報を基に送信を行なう（ステップＳ１０６）。
【００３５】
通信能力の交換は、図３に示すＳＩＰによるセッション確立手順において「180  Ringing」レスポンスまたは「200  OK」レスポンスにより取得することができる。また、ここで取得した相手機の通信能力情報を、今回の送信に係わる短縮宛先番号に対応付けて登録する（ステップＳ１０７）。
【００３６】
図４は、短縮宛先の登録データ５０を例示している。短縮宛先毎に、その短縮宛先に対応する情報を登録するためのレコード５０を用意しておき、能力交換で取得した通信能力情報などを対応するレコードへ登録するようになっている。図４の例では、各レコード５０ａ、５０ｂは、その短縮宛先に割り当てられた短縮宛先番号５１と、宛先（相手機）のＦＡＸ番号５２と、宛先（相手機）の製造メーカを示すメーカ識別情報５３と、宛先（相手機）の機種を示す機種識別情報５４と、宛先（相手機）の受信可能紙サイズ５５と、宛先（相手機）の受信可能解像度５６と、宛先（相手機）がカラー機かモノクロ機かを示すカラー種別５７とを登録するためのフィールドを備えている。
【００３７】
ＳＩＰサーバ１０から受信したレスポンスがリダイレクトレスポンスではなく（ステップＳ１０３；Ｎ）かつ選択された短縮宛先番号に対応付けて相手機の通信能力情報が記憶されている場合は（ステップＳ１０４；Ｙ）、相手先の（第１の送信相手の）通信能力情報を使用して送信を行なう（ステップＳ１０８）。
【００３８】
ＳＩＰサーバ１０（リダイレクトサーバ）から受信したレスポンスがリダイレクトレスポンスの場合は（ステップＳ１０３；Ｙ）、リダイレクトレスポンスで通知された相手機（第２の送信相手）と通信能力の交換を行ない（ステップＳ１０９）、該交換により取得した通信能力情報を基に送信を行なう（ステップＳ１１０）。通信能力の交換は、図３に示すＳＩＰによるセッション確立手順において「180  Ringing」レスポンスまたは「200  OK」レスポンスにより取得できる。
【００３９】
リダイレクトレスポンスを受けた場合、その相手機（第２の送信相手）は一時的に設定された代替宛先なので、該リダイレクト宛先から取得した通信能力情報を該当（第１の送信相手）の短縮宛先番号に対応付けて記憶することはしない。これにより、当該短縮宛先番号に対応付けて元々登録されていた通信能力情報がリダイレクト宛先の通信能力情報で上書きされて破壊されることが防止され、リダイレクト設定が解除された後は、以前の通信で取得して記憶している相手機（第１の送信相手）の通信能力情報を再び利用して送信することができる。
【００４０】
次に、本発明の第２の実施の形態について説明する。
【００４１】
第２の実施の形態では、ＳＩＰサーバ１０からリダイレクトレスポンスを受けた場合には、送信側ファクシミリ装置２０に予め記憶してあるデフォルト設定の通信能力（または送信方法）を用いて送信するようになっている。
【００４２】
図５は、第２の実施の形態に係わる送信側ファクシミリ装置２０Ａの機能構成を示している。デフォルト設定記憶手段２６と確認手段２７とをさらに有する点で第１の実施の形態に係わる送信側ファクシミリ装置２０と相違する。第１の実施の形態に係わる送信側ファクシミリ装置２０と同一構成の部分には同一の符号を付してある。
【００４３】
デフォルト設定記憶手段２６は自機で設定されたデフォルトの通信能力を示す通信能力情報を記憶する。デフォルト設定記憶手段２６には、ネットワークファクシミリシステム５で通信する際にどのファクシミリ装置でも有することが規定された最低限度の能力（標準能力）がデフォルト設定の通信能力情報として登録される。確認手段２７は、ＳＩＰサーバ１０からリダイレクトレスポンスを受けてデフォルト設定で送信を行なう場合に、デフォルト設定で送信することの確認をユーザから受ける機能を果たす。
【００４４】
図６は、送信側ファクシミリ装置２０Ａが行なう送信処理の流れを示している。図２に示す処理とは、リダイレクトレスポンスを受信した場合の動作のみ相違する。その他の動作（レスポンスがリダイレクトレスポンスでない場合の動作など）は図２に示すものと同一であり、それら同一の動作部分には図２と同一のステップ番号を付してある。
【００４５】
ＳＩＰサーバ１０（リダイレクトサーバ）から受信したレスポンスがリダイレクトレスポンスの場合は（ステップＳ１０３；Ｙ）、デフォルト設定記憶手段２６に記憶されているデフォルト（標準）設定で送信する旨を確認手段２７（図示省略の操作表示部など）でユーザに通知し（ステップＳ１２１）、デフォルト設定で送信することの確認（承諾）操作をユーザから受け付ける（ステップＳ１２２）。
【００４６】
図７は、デフォルト設定で送信する旨の通知と確認を受けるためのデフォルト送信確認画面６０の一例を示している。デフォルト送信確認画面６０には、リダイレクト宛先への送信になるためデフォルトの通信能力で送信する旨のメッセージ６１と、本来の送信先との通信能力の相違箇所６２と、ユーザからデフォルト設定による送信を確認（承諾）する／しないの操作を受けるための「はい」釦６３と「いいえ」釦６４とが表示されている。
【００４７】
ユーザがデフォルト設定で送信することを確認すると（ステップＳ１２３；Ｙ）、相手機と能力交換を行なわず、デフォルト設定記憶手段２６に記憶されているデフォルト（標準）設定で送信を行なう（ステップＳ１２４）。デフォルト設定は、最小能力での通信となるので、本来の宛先と異なる通信能力を備えたリダイレクト宛先へ送信することとなっても、通信能力の相違が原因で通信エラーになることはない。
【００４８】
ユーザがデフォルト設定での送信を拒否した場合は（ステップＳ１２３；Ｎ）、リダイレクトレスポンスで通知された相手機と通信能力の交換を行ない（ステップＳ１２５）、該交換により取得した通信能力情報を基に送信を行なう（ステップＳ１２６）。なお、取得した通信能力情報を該当の短縮宛先番号に対応付けて記憶することは行なわない。
【００４９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５０】
たとえば、第２の実施の形態では、リダイレクトレスポンスを受けた場合に、デフォルト設定で送信することの確認をユーザから受けるようにしたが、ユーザからの確認を受けることなく、デフォルト設定による送信を実行するように構成してもかまわない。
【００５１】
また、図６では、デフォルト設定で送信することをユーザが確認（承諾）しない場合に、相手機と能力交換するようにしたが、ユーザが確認しない場合は送信を中止するように構成してもかまわない。
【００５２】
さらに、デフォルト設定記憶手段２６に記憶されるデフォルト設定の内容を、最小能力以外にユーザが任意に設定変更できるように構成してもよい。
【図面の簡単な説明】
【００５３】
【図１】本発明の第１の実施の形態に係わるネットワークファクシミリシステムの構成例を示す説明図である。
【図２】第１の実施の形態に係わる送信側ファクシミリ装置が行なう送信処理を示す流れ図である。
【図３】ＳＩＰにおけるセッション確立手順を示す説明図である。
【図４】短縮宛先の登録データを例示した説明図である。
【図５】第２の実施の形態に係わる送信側ファクシミリ装置の機能構成を示すブロック図である。
【図６】第２の実施の形態に係わる送信側ファクシミリ装置が行なう送信処理を示す流れ図である。
【図７】第２の実施の形態に係わる送信側ファクシミリ装置が表示するデフォルト送信確認画面の一例を示す正面図である。
【符号の説明】
【００５４】
２…ネットワーク
５…ネットワークファクシミリシステム
１０…ＳＩＰサーバ
１１…通信手段
１２…宛先情報蓄積手段
２０、２０Ａ…送信側ファクシミリ装置
２１…通信手段
２２…通信情報取得／設定手段
２４…送信先設定手段
２５…相手機能力記憶手段
２６…デフォルト設定記憶手段
２７…確認手段
３０…受信側ファクシミリ装置
３１…通信手段
３２…宛先設定登録手段
３３…自機能力記憶手段
４０…リダイレクト宛先のファクシミリ装置
５０…短縮宛先の登録データ
６０…デフォルト送信確認画面
【図１】
2007324947.tif 000003
【図２】
2007324947.tif 000004
【図３】
2007324947.tif 000005
【図４】
2007324947.tif 000006
【図５】
2007324947.tif 000007
【図６】
2007324947.tif 000008
【図７】
2007324947.tif 000009